(57)【特許請求の範囲】
【請求項１】
各一対の側面板(1)及び端面板(2)を稜部を介して連設し、側面板(1)及び端面板(2)の上端に側フラップ(6)及び端フラップ(7)をそれぞれ連設し、端フラップ(7)を中間部に入れた幅方向の折目線(9)に沿って屈曲させ、端フラップ(7)の先端側の差込片(10)を側フラップ(6)の差込穴(8)に差し込んで封緘する差込封緘箱において、
前記差込片(10)は、各端フラップ(7)にそれぞれ１つ設けて、対向する側フラップ(6)に跨って差込穴(8)に差し込まれるものとし、
前記側フラップ(6)には、差込穴(8)の内側に、端面から離れた内縁部が根元となるガイド片(11)を設けると共に、このガイド片(11)を切り欠いて押込口(12)を形成し、端フラップ(7)には、折目線(9)から差込片(10)を切り込んで押込突起(13)を設け、
封緘に際して、差込穴(8)へ差し込まれた差込片(10)がガイド片(11)に押されて端面側へ折り返され、端フラップ(7)の表面を押込突起(13)の根元付近で押すと、押込突起(13)が押込口(12)を介して側フラップ(6)の下方へ潜り込むようにしたことを特徴とする差込封緘箱。
【発明の詳細な説明】
【技術分野】
【０００１】
この発明は、テープや接着剤によることなく、フラップの差し込みにより封緘する差込封緘箱に関するものである。
【背景技術】
【０００２】
従来、この種の差込封緘箱として、下記特許文献１には、図５に示すような差込封緘箱が記載されている。この差込封緘箱は、各一対の側面板５１及び端面板５２を稜部を介して連設し、その下端にそれぞれ連設した底面板５３，５４で底面を閉じ、上端にそれぞれ連設した側フラップ５５及び端フラップ５６で天面を閉じるものとされている。
【０００３】
そして、この差込封緘箱の端フラップ５６には、中間部に幅方向の折目線５７が入れられ、先端部に溝を切って外沿片５８及び差込片５９が設けられている。また、側フラップ５５には、差込穴６０が形成されている。
【０００４】
上記のような差込封緘箱の封緘に際しては、端フラップ５６を折目線５７に沿って屈曲させ、差込片５９を差込穴６０に差し込み、外沿片５８と差込片５９とで側フラップ５５を挟持する。このとき、差込片５９は、差込穴６０の端面寄りの外縁部が根元となるガイド片６１にガイドされ、浅い角度で差込穴６０に挿入されるので、先端が内容物に当たりにくく、内容物の損傷が防止される。
【先行技術文献】
【特許文献】
【０００５】
【特許文献１】特開２００３−６３５２１号公報
【発明の概要】
【発明が解決しようとする課題】
【０００６】
しかしながら、上記のような差込封緘箱では、端フラップ５６が折曲部分の反発により浮き上がり、差込片５９が差込穴６０から抜け出して、流通過程で封緘状態が不意に解除されるおそれがある。
【０００７】
そこで、この発明は、内容物の保護を図りつつ、差込封緘箱の封緘の確実性を向上させることを課題とする。
【課題を解決するための手段】
【０００８】
上記課題を解決するため、この発明は、各一対の側面板及び端面板を稜部を介して連設し、側面板及び端面板の上端に側フラップ及び端フラップをそれぞれ連設し、端フラップを中間部に入れた幅方向の折目線に沿って屈曲させ、端フラップの先端側の差込片を側フラップの差込穴に差し込んで封緘する差込封緘箱において、前記差込片は、各端フラップにそれぞれ１つ設けて、対向する側フラップに跨って差込穴に差し込まれるものとし、前記側フラップには、差込穴の内側に、端面から離れた内縁部が根元となるガイド片を設けると共に、このガイド片を切り欠いて押込口を形成し、端フラップには、折目線から差込片を切り込んで押込突起を設け、封緘に際して、差込穴へ差し込まれた差込片がガイド片に押されて端面側へ折り返され、端フラップの表面を押込突起の根元付近で押すと、押込突起が押込口を介して側フラップの下方へ潜り込むようにしたのである。
【発明の効果】
【０００９】
このような差込封緘箱では、封緘状態で、差込片が内容物に直角に突き当たることが防止されるので、内容物が損傷しにくく、また、端面側へ折り返された差込片と側フラップの下方へ潜り込んだ押込突起とで、端フラップの浮き上がりが抑制されるので、差込片の差込穴からの抜け出しが防止され、封緘の確実性が向上する。
【図面の簡単な説明】
【００１０】
【図１】この発明に係る差込封緘箱のブランクを示す図
【図２】同上の組立過程を示す斜視図
【図３】同上の封緘過程を示す斜視図
【図４】同上の封緘状態を示す斜視図
【図５】従来の差込封緘箱の封緘状態を示す斜視図
【発明を実施するための形態】
【００１１】
以下、この発明の実施形態を添付図面に基づいて説明する。
【００１２】
図１に示す段ボールのブランクでは、各一対の側面板１及び端面板２が連設され、一方の側面板１の外側に継代片３が連設されている。側面板１及び端面板２には、下端に底面板４，５がそれぞれ連設され、上端に側フラップ６及び端フラップ７がそれぞれ連設されている。側フラップ６と端フラップ７の長さは揃っている。
【００１３】
側フラップ６の両側部には、先端縁からの切込により、スロット状の差込穴８が形成され、差込穴８は、組立時に対向する側フラップ６に亘って連通するようになっている。
【００１４】
端フラップ７の中間部には、幅方向の折目線９が入れられ、端フラップ７の折目線９より先端側の部分は差込片１０とされている。差込片１０は、封緘に際し、対向する側フラップ６に跨って差込穴８に差し込まれるようになっている。
【００１５】
ここで、側フラップ６の側縁と差込穴８の外縁部との間の距離ａは、端フラップ７の根元から折目線９までの距離ｂよりも小さくなっている。
【００１６】
また、差込穴８の内側には、側端から離れた内縁部が根元となるガイド片１１が設けられると共に、このガイド片１１を切り欠いて、側フラップ６の先端側に押込口１２が形成されている。
【００１７】
また、端フラップ７には、折目線９の中央部から差込片１０をコ字状に切り込んで、押込突起１３が設けられると共に、折目線９の両側部から差込片１０を僅かに切り込んで、載上突起１４が設けられている。
【００１８】
なお、ガイド片１１の端縁には、ケーサーでの製箱時における引っ掛かり等を防止するため、繋部が設けられている。この繋部は、封緘時にガイド片１１を押して切断する。また、押込口１２の切断縁は、封緘時に押込突起１３の押し込みを容易にするため、ガイド片１１の根元より側フラップ６の内側へ斜めに切れ込んでいる。
【００１９】
上記ブランクを組み立てて物品を包装するには、図２に示すように、各一対の側面板１及び端面板２を角筒状に折り曲げて、継代片３を反対側の端面板２の内面に貼り付け、底面板４，５により底面を閉じ、箱内に物品を収納した後、側フラップ６を突き合わせるように折り曲げる。これにより、対向する側フラップ６の押込口１２が一体となる。
【００２０】
次に、図３に示すように、端フラップ７を折目線９に沿って屈曲させ、差込片１０の先端でガイド片１１を押し下げつつ、差込片１０を差込穴８に差し込む。
【００２１】
これに伴い、図４に示すように、差込片１０は、反発で戻ろうとするガイド片１１に押されて端面側へ折り返される。
【００２２】
そして、端フラップ７の表面を押込突起１３の根元付近で押すと、押込突起１３が押込口１２を介して側フラップ６の下方へ潜り込む。
【００２３】
上記のような差込封緘箱では、封緘状態で、差込片１０が内容物に直角に突き当たることが防止されるので、内容物が損傷しにくく、電子部品等の衝撃に弱い物品を確実に保護することができる。
【００２４】
また、端面側へ折り返された差込片１０と側フラップ６の下方へ潜り込んだ押込突起１３とで、端フラップ７の浮き上がりが抑制されるので、差込片１０の差込穴８からの抜け出しが防止され、封緘の確実性が向上するほか、載上突起１４が側フラップ６の上面に当接して、端フラップ７の陥没が防止される。
【００２５】
さらに、端フラップ７を長くする必要もないので、通常の溝切型フラップを有する段ボール箱に比べて、材料の段ボールの使用量が増加することもない。
【００２６】
なお、上記実施形態では、側面板１と端面板２の稜部が直角となった直方体の箱を例示したが、この稜部が面取りされたように、周壁が多角筒状となった箱においても、同様の構成を適用できる。
【符号の説明】
【００２７】
１  側面板
２  端面板
３  継代片
４，５  底面板
６  側フラップ
７  端フラップ
８  差込穴
９  折目線
１０  差込片
１１  ガイド片
１２  押込口
１３  押込突起
１４  載上突起
【図１】
0005718750.tif 000002
【図２】
0005718750.tif 000003
【図３】
0005718750.tif 000004
【図４】
0005718750.tif 000005
【図５】
0005718750.tif 000006